(57)【要約】【課題】      電圧変換装置が配置される制御基板を、安価に、効果的に小型化することができる遊技機を提供する。【解決手段】  パチンコ機１の動作を制御する制御回路部１３４と、入力電源（ＤＣ１２Ｖ電源）の電圧を設定電圧（ＤＣ５Ｖ）に変換する電圧変換装置１３３が配置される主制御基板１３０を備えたパチンコ機１において、電圧変換装置１３３は、直列に接続された複数の電圧変換器１３３ａ，１３３ｂを備えている。【選択図】    図３
2006075474.tif 000002
【特許請求の範囲】
【請求項１】
遊技機の動作を制御する制御回路と、入力電源の電圧を設定電圧に変換する電圧変換装置と、前記制御回路及び電圧変換装置が配置される基板を備えた遊技機であって、
前記電圧変換装置は、直列に接続された複数の電圧変換器を備えていることを特徴とする、
遊技機。
【発明の詳細な説明】
【技術分野】
【０００１】
本発明は、電圧変換装置が配置される制御基板を小型化することができる遊技機に関する。
【背景技術】
【０００２】
パチンコ機には、液晶表示器等の表示装置、入賞したパチンコ球を検出するセンサ、入賞口の開閉装置を作動させるためのソレノイド、賞球を払い出すためのモータ等種々の構成部品が配設されている。一般的に、液晶表示器はＤＣ１２Ｖの電源およびＤＣ３．３Ｖ等の電源、ソレノイドはＤＣ３４Ｖの電源、センサやモータはＤＣ１２Ｖの電源により動作する。
また、パチンコ機には、上記した構成部品をパチンコ機の遊技状態に応じて動作させるために、制御用ＩＣ等を含む制御回路が実装されている制御基板（全体の遊技動作を制御する主制御回路が配設されている主制御基板、賞球動作を制御する払出制御回路が配設されている払出制御基板、表示動作を制御する表示制御回路が配設されている表示制御基板等）が配設されている。制御基板に実装されている制御回路は、主にＤＣ５ＶやＤＣ３．３Ｖ等の電源により動作する。
このように種々の電圧の電源により動作する構成部品や制御回路を有しているため、パチンコ機には、入力される外部電源（ＡＣ２４Ｖ電源が多用されている。）をＤＣ３４Ｖ、ＤＣ１２Ｖ、ＤＣ５Ｖ、ＤＣ３．３Ｖ（以降、ＤＣは省略する。）等の電源に変換する電源基板が設けられている（特許文献１参照）。そして、電源基板で変換された３４Ｖ、１２Ｖ、５Ｖ、３．３Ｖ等の電源が、各構成部品や制御基板に電源線を介して供給されている。制御基板に実装されている制御回路は、電源線を介して供給された５Ｖ、３．３Ｖ等の電源により動作している。
【特許文献１】特開２００１−１９８２６８号公報
【発明の開示】
【発明が解決しようとする課題】
【０００３】
ところで、電源基板と制御基板の間および制御基板間には電源線が引き回されており、これによって電源基板で変換された電源が各制御基板に供給されている。したがって、各制御基板に供給される電源は、電源線で引き回されている間に周囲のノイズの影響を受けて、電圧レベルが不安定になる場合がある。また、各制御基板に供給される電源は、電源線の長さが長くなるほど電圧降下の影響も受け、電圧レベルが低下する。
このように、電源基板から各種の電源を供給する場合には、特に、電圧レベルが低い電源、例えば、３．３Ｖや５Ｖの制御回路の電源（制御電源）について、制御基板に供給された電源の電圧レベルが変動して不安定になる恐れがある。したがって、電源の電圧レベルの変動による影響を受け難い制御回路を使用する必要がある。あるいは、ノイズによる影響を防止するための対策を講じたり、電源線の長さが短くなるように電源線を引き回す配線経路を考慮する必要がある。このため、制御回路や電源線の配線等の設計に時間を要する。
【０００４】
そこで、ノイズや電源線の抵抗による変動が少ない電源を制御回路に供給する方法として、電源基板から制御基板に、制御回路の電源の電圧レベルより高い電圧レベルを有する電源（例えば、１２Ｖ電源）を供給し、制御基板に配設された電圧変換装置により、３．３Ｖや５Ｖの制御電源に変換する方法を用いることが考えられる。
このような電圧変換装置としては、アナログレギュレータ（３端子レギュレータ等）が知られている。
アナログレギュレータは安価ではあるが、前記した電源基板から供給された電源の電圧を制御電源の電圧に変換するために用いた場合には、電力損失が多く、すなわち発熱量が多いため、内部素子の損傷を防止するために放熱フィンを取り付ける必要がある。このため、電圧変換装置全体が大型となり、制御基板上にそれ相応の配置スペースが必要となる。
一方、近年では、制御基板として、高価な多層構造の制御基板が用いられる傾向にある。このような観点から、制御基板の更なる小型化が要望されている。
【０００５】
そこで、本発明者は、電圧変換装置を小型化して、電圧変換装置が配置されている制御基板を有効に小型化することができる手法を種々検討した結果、入力される電源の電圧を設定電圧に変換する電圧変換装置を、直列に接続された複数の電圧変換器により構成することにより、電圧変換装置を１つの電圧変換器により構成する場合に比べて、各電圧変換器の電力損失、したがって、発熱量を軽減することができることができ、電圧変換装置に取り付ける放熱フィンを著しく小型化ないし省略することができることを見出した。
本発明が解決しようとする課題は、電圧変換装置が配置される制御基板を、安価に、効果的に小型化することができる遊技機を提供することである。
【課題を解決するための手段】
【０００６】
前記課題を解決するための本発明の第１発明は、請求項１に記載されたとおりの遊技機である。
請求項１に記載の遊技機は、遊技機の動作を制御する制御回路と、入力される電源の電圧を設定電圧に変換する電圧変換装置と、制御回路および電圧変換装置が配置されている制御基板を備えている。電圧変換装置は、直列に接続された複数の電圧変換器を備えている。
ここで、「設定電圧」は、基板に配設されている電気部品が必要とする電圧に設定される。例えば、電気部品としてＩＣ等の集積回路が設けられている場合には、５Ｖ、３．３Ｖ等の電源（制御電源）が必要となり、「設定電圧」は、５Ｖ、３．３Ｖ等に設定される。「設定電圧」は１種類であってもよいし、複数種類であってもよい。
「電圧変換器」としては、典型的には、３端子レギュレータが用いられる。電圧変換器としては、入力される電源の電圧および出力される電源の電圧に対応する仕様の、市販の３端子レギュレータを用いることができる。
【発明の効果】
【０００７】
請求項１に記載の遊技機を用いれば、制御基板に配置される電圧変換装置を、入力される電源の電圧を中間電圧に変換する第１の電圧変換器と、中間電圧を設定電圧に変換する第２の電圧変換器により構成しているため、電圧変換装置を１つの電圧変換器により構成する場合に比べて、各電圧変換器の電力損失、すなわち、発熱量を低減することができる。したがって、放熱フィンを著しく小型化ないし省略することができ、電圧変換装置が配置される制御基板を、安価に、効果的に小型化することができる。
【発明を実施するための最良の形態】
【０００８】
本発明の遊技機の一実施の形態を、図１〜図４を参照して説明する。本実施の形態は、本発明をパチンコ機として構成したものである。
本実施の形態のパチンコ機では、制御用ＩＣ等を含む制御回路が実装されている制御基板（全体の遊技動作を制御する主制御回路が配設されている主制御基板、賞球動作を制御する払出制御回路が配設されている払出制御基板、表示動作を制御する表示制御回路が配設されている表示制御基板等）に、電源基板から出力されたＤＣ１２Ｖの電源が供給される。各制御基板には電圧変換装置が配置されており、電圧変換装置はＤＣ１２Ｖの電源をＤＣ８Ｖの電源に変換する第１電圧変換器と、ＤＣ８Ｖの電源をＤＣ５Ｖの電源に変換する第２電圧変換器により構成されている。各電圧変換装置で変換されたＤＣ５Ｖの電源は、各制御基板に実装されている制御回路で用いられる。
図１は、パチンコ機が遊技場に配置されている状態で、パチンコ機を裏側（遊技者側を表側とする。）から見た概略構成図である。図２には、電源基板から各制御基板へ１２Ｖの電源を供給する配線のブロック図、図３には、パチンコ機が遊技場に配置されている状態で、主制御基板をパチンコ機の裏側から見た図を示す。また、図４は、主制御基板に設けられている電圧変換装置の回路図である。
【０００９】
まず、図１を用いて、パチンコ機１の裏側の概略構成を説明する。パチンコ機１の裏側には、複数の回路基板が設けられている。図１に示すパチンコ機１では、ＡＣ２４Ｖの入力電源を電源基板１１０とインターフェース基板１２０に分電する分電基板１００、分電基板１００から供給されたＡＣ２４Ｖ電源をＤＣ１２ＶおよびＤＣ３４Ｖの電源に変換するＡＣ／ＤＣコンバータが設けられた電源基板１１０、パチンコ機１と外部機器とのインターフェースを担うインターフェース基板１２０、パチンコ機１全体の遊技動作を制御する主制御回路が配設されている主制御基板１３０、賞球動作を制御する払出制御回路が配設されている払出制御基板１４０、表示動作を制御する表示制御回路が配設されている表示制御基板１５０、主制御基板１３０と表示制御基板１５０との中継等を行う副制御基板１６０が設けられている。
【００１０】
各回路基板では、主として回路基板の表面側に電気部品が実装され、各電気部品は回路基板の配線パターンで接続されている。各回路基板は、それぞれ基板ボックスに収容されている。なお、各回路基板において、他の回路基板等と配線で接続されるコネクタ部は、基板ボックスの外部に設けられている。
各回路基板が収容された基板ボックスは、パチンコ機１が遊技場に配置されている状態で回路基板の表面側（主に、電気部品が配設されている実装面側）がパチンコ機１の裏側に向くように配設される。
図１に示すパチンコ機１では、分電基板１００が収容された基板ボックスがパチンコ機１の裏側の鉛直方向上部に配設されている。また、電源基板１１０が収容された基板ボックスがパチンコ機１の裏側の鉛直方向下部に配設されている。そして、電源基板１１０の左側に設けられているコネクタ部がパチンコ機１の裏側に露出するように、払出制御基板１４０が収容された基板ボックスが、電源基板１１０が収容された基板ボックスに重ねて配設されている。
また、電源基板１１０が収容された基板ボックスの鉛直方向上部には副制御基板１６０が収容された基板ボックスが配設されている。そして、副制御基板１６０の左側に設けられているコネクタ部がパチンコ機１の裏側に露出するように、主制御基板１３０が収容された基板ボックスが、副制御基板１６０が収容された基板ボックスに重ねて配設されている。
副制御基板１６０が収容された基板ボックスおよび主制御基板１３０が収容された基板ボックスの鉛直方向上部には、パチンコ機１の裏カバー２００が設けられおり、裏カバー２００内に、表示制御基板１５０が収容された基板ボックスや液晶表示器４００（併せて、図２参照）が配設されている。
本実施の形態の主制御基板１３０、払出制御基板１４０、表示制御基板１５０、副制御基板１６０は、本発明の「制御基板」に対応する。
【００１１】
次に、図２に示すブロック図を用いて、電源基板１１０から各回路基板へ１２Ｖの電源を供給する配線の構成について説明する。
分電基板１００には、パチンコ機１外部からＡＣ２４Ｖ電源が供給される。供給されたＡＣ２４Ｖ電源は分電基板１００で分割され、パチンコ機１内部の電気部品を保護するヒューズ（特に図示していない。）を介して電源基板１１０とインターフェース基板１２０に供給される。
インターフェース基板１２０では、分電基板１００から供給されたＡＣ２４Ｖ電源を用いて外部機器との通信のインターフェースを行う。
電源基板１１０では、分電基板１００から供給されたＡＣ２４Ｖ電源が、ＤＣ１２ＶおよびＤＣ３４Ｖ（以降「ＤＣ」を省略し、１２Ｖ電源、３４Ｖ電源と称する。）に変換される。変換された１２Ｖ電源および３４Ｖ電源は払出制御基板１４０に供給される。
【００１２】
払出制御基板１４０では、電圧変換装置１４３に、電源基板１１０から供給された１２Ｖ電源が供給される。電圧変換装置１４３では、供給された１２Ｖ電源が５Ｖの制御電源に変換される。電圧変換装置１４３で変換された制御電源は、ＣＰＵ等の制御用ＩＣを含む制御回路部１４４に供給される。
また、払出制御基板１４０では、１２Ｖ電源を用いる１２Ｖ使用回路部１４２に、電源基板１１０から供給された１２Ｖ電源が供給される。１２Ｖ使用回路部１４２としては、他の制御基板とコマンド信号の送受信を行うコマンド送受信回路、払出装置３００の賞球の払出を確認するための球近接スイッチのインターフェース回路等（特に図示していない。）が設けられている。
また、払出制御基板１４０では、３４Ｖ電源を用いる３４Ｖ使用回路部１４１に、電源基板１１０から供給された３４Ｖ電源が供給される。３４Ｖ使用回路部１４１としては、賞球を払い出す払出装置３００（併せて、図１参照）の払出モータを駆動する回路等（特に図示していない。）が設けられている。
そして、払出制御基板１４０を介して主制御基板１３０に３４Ｖ電源および１２Ｖ電源が供給されている。
【００１３】
主制御基板１３０では、電圧変換装置１３３（詳しくは、後述する第１電圧変換器１３３ａの入力端子）に、払出制御基板１４０から供給された１２Ｖ電源が供給される。電圧変換装置１３３では、供給された１２Ｖ電源が５Ｖの制御電源に変換される。電圧変換装置１３３で変換された制御電源は、ＣＰＵ等の制御用ＩＣを含む制御回路１３４に供給される。
また、主制御基板１３０では、１２Ｖ使用回路部１３２に、払出制御基板１４０から供給された１２Ｖ電源が供給される。１２Ｖ使用回路部１３２としては、他の制御基板とコマンド信号の送受信を行うコマンド送受信回路、入賞口にパチンコ球が入賞したことを検出する球近接スイッチのインターフェース回路等（特に図示していない。）が設けられている。
また、主制御基板１３０では、３４Ｖ使用回路部１３１に、払出制御基板１４０から供給された３４Ｖ電源が供給される。３４Ｖ使用回路部１３１としては、大入賞口や始動口の開閉装置を駆動するソレノイド駆動回路等（特に図示していない。）が設けられている。
そして、主制御基板１３０を介して副制御基板１６０に３４Ｖ電源および１２Ｖ電源が供給されている。
【００１４】
副制御基板１６０では、電圧変換装置１６３に、主制御基板１３０から供給された１２Ｖ電源が供給される。電圧変換装置１６３では、１２Ｖ電源が５Ｖの制御電源に変換される。電圧変換装置１６３で変換された制御電源は、ＣＰＵ等の制御用ＩＣを含む制御回路部１６４に供給される。
また、副制御基板１６０では、１２Ｖ使用回路部１６２に、主制御基板１３０から供給された１２Ｖ電源が供給される。１２Ｖ使用回路部１６２としては、他の制御基板とコマンド信号の送受信を行うコマンド送受信回路、液晶表示器のバックライト点灯回路等（特に図示していない。）が設けられている。
また、副制御基板１６０を介してパチンコ機の枠等に設けられている装飾用のＬＥＤに、３４Ｖ電源および１２Ｖ電源が供給される。
そして、副制御基板１６０を介して表示制御基板１５０に１２Ｖ電源が供給されている。
【００１５】
表示制御基板１５０では、電圧変換装置１５３に、副制御基板１６０から供給された１２Ｖ電源が供給される。電圧変換装置１５３では、１２Ｖ電源が５Ｖ、３．３Ｖの制御電源に変換される。電圧変換装置１５３で変換された制御電源は、ＣＰＵ等の制御用ＩＣを含む制御回路部１５４に供給される。
また、表示制御基板１５０では、１２Ｖ使用回路部１５２に、副制御基板１６０から供給された１２Ｖ電源が供給される。１２Ｖ使用回路部１５２としては、他の制御基板とコマンド信号の送受信を行うコマンド送受信回路等が設けられている。
また、表示制御基板１５０を介して液晶表示器４００に１２Ｖ電源および制御電源が供給されている。
【００１６】
各制御基板の３４Ｖ使用回路部１３１，１４１および１２Ｖ使用回路部１３２，１４２，１５２，１６２は周知の回路部であるので、詳細な説明は省略する。
なお、各回路基板のグランド系統の配線、コマンド信号等の制御信号の送受信回路の配線については、本発明の要旨とは関係無いので、図示および詳細な説明は省略する。
上記したように、各制御基板は、各制御基板の制御回路で用いる制御電源を、１２Ｖ電源から変換する電圧変換装置１３３，１４３，１５３，１６３を有している。
本実施の形態の「電圧変換装置１３３，１４３，１５３，１６３」が、本発明の「電圧変換装置」に対応する。
【００１７】
次に、一例として、図３に示す主制御基板１３０の電圧変換装置１３３の配線パターンについて説明する。なお、図３は、パチンコ機１が遊技場に配置されている状態で、主制御基板１３０をパチンコ機１の裏側から見た主制御基板１３０の実装面側を示す。
図３に示すように、主制御基板１３０の実装面側には、電圧変換装置１３３、３４Ｖ使用回路部１３１、１２Ｖ使用回路部１３２、ＣＰＵ１３４ａを含む制御回路部１３４、電源コネクタＣＮ１，ＣＮ２等が配設されている。
電源コネクタＣＮ１は、主制御基板１３０の実装面側において、払出制御基板１４０側（併せて図１参照）、すなわち図３に示す下側に配設されている。電源コネクタＣＮ２は、主制御基板１３０の実装面側において、副制御基板１６０のコネクタ部側（併せて図１参照）、すなわち図３に示す左側に配設されている。また、制御回路部１３４は、電圧変換装置１３３に隣接して、すなわち図３に示す電圧変換装置１３３の右隣りに配設されている。また、１２Ｖ使用回路部１３２、３４Ｖ使用回路部１３１は、図３に示す制御回路部１３４の上部に設けられている。
【００１８】
電源コネクタＣＮ１，ＣＮ２は、それぞれ、１２Ｖ電源用コネクタピンと３４Ｖ電源用コネクタピンを有している。
電源コネクタＣＮ１の１２Ｖ電源用コネクタピンには、主制御基板１３０の１２Ｖ電源の配線パターンが接続されている。この配線パターンは、電圧変換装置１３３（詳しくは、後述する第１電圧変換器１３３ａの入力端子）、１２Ｖ使用回路部１３２、電源コネクタＣＮ２の１２Ｖ電源用コネクタピンに接続されている。
電源コネクタＣＮ１の３４Ｖ電源用コネクタピンには、主制御基板１３０の３４Ｖ電源の配線パターンが接続されている。この配線パターンは、３４Ｖ使用回路部１３２、電源コネクタＣＮ２の３４Ｖ電源用コネクタピンに接続されている。
【００１９】
本実施の形態では、電圧変換装置１３３には、第１電圧変換器１３３ａおよび第２電圧変換器１３３ｂが設けられている。第１電圧変換器１３３ａは、１２Ｖ電源を８Ｖ電源（中間電圧の電源）に変換する３端子レギュレータを用いて構成される。また、第２電圧変換器１３３ｂは、８Ｖ電源を５Ｖ電源に変換する３端子レギュレータを用いて構成される。第１電圧変換器１３３ａおよび第２電圧変換器１３３ｂは、それぞれ、入力端子、出力端子、グランド端子を有している。
そして、電源コネクタＣＮ１の１２Ｖ電源用コネクタピンに接続されている１２Ｖ電源の配線パターンは、第１電圧変換器１３３ａの入力端子に接続されている。第１電圧変換器１３３ａの出力端子は、第２電圧変換器１３３ｂの入力端子に接続されている。第２電圧変換器１３３ｂの出力端子は、制御回路部１３４と接続されている。
なお、第１電圧変換器１３３ａと第２電圧変換器１３３ｂは、主制御基板１３０が取り付けられたパチンコ機１が遊技場に配置されている状態で、主制御基板１３０に、互いに水平方向（図３に示す左右方向）の配置位置が全く重ならないように配設されている。
【００２０】
このように、構成された主制御基板１３０の電源コネクタＣＮ１は、電源コネクタＣＮ１と嵌合するコネクタ付ケーブルで払出制御基板１４０の電源コネクタ（特に図示していない。）と接続される。
これにより、主制御基板１３０の１２Ｖ電源配線パターンに、払出制御基板１４０から電源コネクタＣＮ１を介して１２Ｖ電源が供給される。
そして、電圧変換装置１３３の第１電圧変換器１３３ａの入力端子に、１２Ｖ電源が供給される。第１電圧変換器１３３ａは、入力された１２Ｖ電源を８Ｖ電源に変換して出力端子から出力する。第１電圧変換器１３３ａから出力された８Ｖ電源は、第２電圧変換器１３３ｂの入力端子に入力される。第２電圧変換器１３３ｂは、入力された８Ｖ電源を５Ｖ電源に変換して出力端子から出力する。第２電圧変換器１３３ｂから出力された５Ｖ電源は、ＣＰＵ１３４ａを含む制御回路１３４に供給される。
また、１２Ｖ使用回路部１３２にも、１２Ｖ電源配線パターンにより１２Ｖ電源が供給される。
また、電源コネクタＣＮ２の、１２Ｖ電源用コネクタピンに、１２Ｖ電源配線パターンにより１２Ｖ電源が供給される。これによって、電源コネクタＣＮ２と副制御基板１６０の電源コネクタ（特に、図示していない。）を接続するコネクタ付ケーブルを介して、副制御基板１６０の１２Ｖ電源配線パターンに１２Ｖ電源が供給される。
【００２１】
また、主制御基板１３０の３４Ｖ電源配線パターンに、電源コネクタＣＮ１を介して、払出制御基板１４０から３４Ｖ電源が供給される。
そして、３４Ｖ使用回路部１３１に、３４Ｖ電源配線パターンにより３４Ｖ電源が供給される。
また、電源コネクタＣＮ２の、３４Ｖ電源用コネクタピンに、３４Ｖ電源配線パターンにより３４Ｖ電源が供給される。これによって、電源コネクタＣＮ２と副制御基板１６０の電源コネクタ（特に、図示していない。）を接続するコネクタ付ケーブルを介して、副制御基板１６０の３４Ｖ電源配線パターンに３４Ｖ電源が供給される。
【００２２】
このように、電圧変換装置１３３は、直列に接続された第１電圧変換器１３３ａと第２電圧変換器１３３ｂにより１２Ｖ電源を５Ｖ電源に変換する。
本実施の形態では、第１電圧変換器１３３ａ及び第２電圧変換器１３３ｂとして、図４に示すアナログレギュレータ（３端子レギュレータ）が用いられている。
図４に示すように、第１電圧変換器１３３ａには、入力端子Ｔａ１、出力端子Ｔａ２、グランド端子Ｔａ３が設けられている。また、第２電圧変換器１３３ｂには、入力端子Ｔｂ１、出力端子Ｔｂ２、グランド端子Ｔｂ３が設けられている。
第１電圧変換器１３３ａの入力端子Ｔａ１には、１２Ｖ電源配線パターンと、第１電圧変換器１３３ａの発振を防止する付加コンデンサＣ１の一方側の端子が接続されている。付加コンデンサＣ１の他方側の端子には、グランド配線パターンが接続されている。第１電圧変換器１３３ａの出力端子Ｔａ２には、電流の逆流を防止する逆流防止ダイオードＤ１のアノードが接続されている。第１電圧変換器１３３ａのグランド端子Ｔａ３には、グランド配線パターンが接続されている。
第２電圧変換器１３３ｂの入力端子Ｔｂ１には、ダイオードＤ１のカソードと、第２電圧変換器１３３ｂの発振を防止する付加コンデンサＣ２の一方側の端子が接続されている。付加コンデンサＣ２の他方側の端子には、グランド配線パターンが接続されている。第２電圧変換器１３３ｂの出力端子Ｔｂ２は、電圧変換装置１３３の出力端子となっている。第２電圧変換器１３３ｂのグランド端子Ｔｂ３には、グランド配線パターンが接続されている。
【００２３】
第１電圧変換器１３３ａは、ＰＮＰ型パワートランジスタ４０、基準電圧を出力する基準電圧回路１０（ツェナーダイオードを用いて構成されている。）、出力端子Ｔａ２から出力される電圧を検出する出力電圧検出回路（抵抗５０を用いて構成されている。）、出力電圧検出回路で検出した出力電圧と基準電圧回路１０から出力される基準電圧との差信号を出力する差動増幅器２０、差動増幅器２０から出力される差信号に基づいてパワートランジスタ４０を制御するパワートランジスタ駆動回路３０を有している。この構成により、第１電圧変換器１３３ａは、入力端子Ｔａ１に入力された１２Ｖ電源を８Ｖ電源に変換し、出力端子Ｔａ２から出力する。
第２電圧変換器１３３ｂも、第１電圧変換器１３３ａと同様の構成を有している。なお、図４に示す第２の電圧変換器１３３ｂの各構成要素は、第１の電圧変換器１３３ａの各構成要素に付されている数字に「１」を加算した数字が付されている各構成要素と同じものである。そして、第２電圧変換器１３３ｂは、入力端子Ｔｂ１に入力された８Ｖ電源を５Ｖ電源に変換し、出力端子Ｔｂ２から出力する。
【００２４】
ここで、第１電圧変換器１３３ａ、第２電圧変換器１３３ｂの最大電力損失ＰＤａ（ｍＷ），ＰＤｂ（ｍＷ）から、第１電圧変換器１３３ａ、第２電圧変換器１３３ｂの最大温度上昇値Ｔａｕｐ（℃），Ｔｂｕｐ（℃）を算出し、各第１電圧変換器１３３ａ、第２電圧変換器１３３ｂに放熱フィンを取り付ける必要があるか否かを確認する。
なお、第１電圧変換器１３３ａ、第２電圧変換器１３３ｂは、動作時の温度の最高値が１２０度を超える場合には、電圧変換器内部の素子の損傷を防止するために放熱フィンを取り付ける必要があるものとする。
【００２５】
第１電圧変換器１３３ａ、第２電圧変換器１３３ｂの最大電力損失ＰＤａ（ｍＷ），ＰＤｂ（ｍＷ）（併せて、ＰＤ（ｍＷ）と称する。）は、式（１）で表される。
最大電力損失ＰＤ（ｍＷ）
＝｛最大入力電圧Ｖｉｎ（Ｖ）−最小出力電圧Ｖｏｕｔ（Ｖ）｝
×最大出力電流Ｉｏｕｔ（ｍＡ）
＋最大入力電圧Ｖｉｎ（Ｖ）×電圧変換器の消費電流Ｉｂ（ｍＡ）・・・式（１）
また、第１電圧変換器１３３ａおよび第２電圧変換器１３３ｂに放熱フィンが取り付けられていない場合、図４に示す第１電圧変換器１３３ａおよび第２電圧変換器１３３ｂの温度は、電力損失が１６（ｍＷ）上昇する毎に１℃上昇する。したがって、最大温度上昇値Ｔａｕｐ（℃），Ｔｂｕｐ（℃）（併せて、Ｔｕｐ（℃）と称する。）は、式（２）で表される。
最大温度上昇値Ｔｕｐ（℃）
＝最大電力損失ＰＤ（ｍＷ）／１６（ｍＷ）・・・・・・・・・・・・式（２）
したがって、各電圧変換器の入力電源の電圧と出力電源の電圧の差の最大値［最大入力電圧Ｖｉｎ（Ｖ）−最小出力電圧Ｖｏｕｔ（Ｖ）］が大きいほど、各電圧変換器の最大電力損失ＰＤ（ｍＷ）が大きくなる。そして、各電圧変換器の最大電力損失ＰＤ（ｍＷ）が大きいほど、各電圧変換器の発熱量が大きく最大温度上昇値Ｔｕｐ（℃）が大きくなる。
【００２６】
なお、以下（１）〜（６）の条件に基づいて、第１電圧変換器１３３ａ、第２電圧変換器１３３ｂの最大温度上昇値Ｔｕｐ（℃）を算出する。
（１）主制御基板１３０内で消費される電流Ｉｒ（ｍＡ）の最大値は１５０（ｍＡ）である。
（２）第１電圧変換器１３３ａに供給される１２Ｖ電源は、実際には、１１．４（Ｖ）〜１２．６（Ｖ）の間で変動する可能性がある。
（３）第１電圧変換器１３３ａの出力電圧Ｖａｏｕｔは、実際には、７．８４（Ｖ）〜８．１６（Ｖ）の間で変動する可能性がある。
（４）第２電圧変換器１３３ｂの出力電圧Ｖｂｏｕｔは、実際には、４．９０（Ｖ）〜５．１０（Ｖ）の間で変動する可能性がある。
（５）逆流防止ダイオードＤ１のドロップ電圧Ｖｆは、０．３（Ｖ）である。
（６）第１電圧変換器１３３ａおよび第２電圧変換器１３３ｂの消費電流Ｉｂ（ｍＡ）は５（ｍＡ）である。
図４に示すように、主制御基板１３０に消費電流Ｉｒ（ｍＡ）が１５０（ｍＡ）流れる場合、第１電圧変換器１３３ａおよび第２電圧変換器１３３ｂの消費電流Ｉｂ（ｍＡ）はそれぞれ５（ｍＡ）であるので、第１電圧変換器１３３ａに入力される電流Ｉｐ（ｍＡ）は１６０（ｍＡ）となる。
【００２７】
（Ａ）第１電圧変換器１３３ａについて
式（１）より、第１電圧変換器１３３ａの最大電力損失ＰＤａ（ｍＷ）は、
（１２．６−７．８４）×１５５＋１２．６×５＝８００．８（ｍＷ）
式（２）より、第１電圧変換器１３３ａの最大温度上昇値Ｔａｕｐ（℃）は、
８００．８／１６＝５０．０５（℃）
したがって、周囲の温度を５５（℃）とすると、第１電圧変換器１３３ａの温度の最高値Ｔａ（℃）は、１０５．０５（℃）（＝５５＋５０．０５）となる。
したがって、第１電圧変換器１３３ａの温度の最高値Ｔａ（℃）は、１２０（℃）未満であるので、第１電圧変換器１３３ａには放熱フィンを取り付ける必要はない。
【００２８】
（Ｂ）第２電圧変換器１３３ｂについて
式（１）より、第２電圧変換器１３３ｂの最大電力損失ＰＤｂ（ｍＷ）は、
｛（８．１６−０．３）−４．９０｝×１５０＋（８．１６−０．３）×５
＝４８３．３（ｍＷ）
式（２）より、第２電圧変換器１３３ｂの最大温度上昇値Ｔｂｕｐ（℃）は、
４８３．３／１６＝３０．２１（℃）
周囲の温度を５５（℃）とすると、第２電圧変換器１３３ｂの温度の最高値Ｔｂ（℃）は、８５．２１（℃）（＝５５＋３０．２１）となる。
したがって、第２電圧変換器１３３ｂの温度の最高値Ｔｂ（℃）は、１２０（℃）未満であるので、第１電圧変換器１３３ａには放熱フィンを取り付ける必要はない。
【００２９】
一方、図６に示す従来技術のように、１つの電圧変換器で１２Ｖ電源を５Ｖ電源に変換する場合について、電圧変換器に放熱フィンを取り付ける必要があるか否かを確認する。
この場合も、電圧変換器の最大電力損失および最大温度上昇値は、前記した式（１）、（２）で表される。
式（１）より、電圧変換器の最大電力損失（ｍＷ）は、
（１２．６−０．３）×１５０＋（１２．６−０．３）×５＝１９０７（ｍＷ）
式（２）より、電圧変換器の最大温度上昇値（℃）は、
１９０７／１６＝１１９．１９（℃）
周囲の温度を５５（℃）とすると、電圧変換器の温度の最高値（℃）は、１７４．１９（℃）（＝５５＋１１９．１９）となる。したがって、電圧変換器の温度の最高値（℃）は、１２０（℃）以上であるので、電圧変換器には放熱フィンを取り付ける必要がある。
そこで、電圧変換器の最大電力損失（１９０７ｍＷ）に基づいて、周知の算出方法により、オー・エス社製ＰＲ１６１６相当の放熱フィンを用いることとする。
これにより、一般的な外形（例えば、１０×４．５×１７＝７６５（ｍｍ３））の電圧変換器を用いれば、本実施の形態のように、電圧変換装置として第１電圧変換器１３３ａおよび第２電圧変換器１３３ｂを用いた場合の、第１電圧変換器１３３ａおよび第２電圧変換器１３３ｂの容積の総和（７６５×２＝１５３０（ｍｍ３））は、電圧変換装置として１つの電圧変換器を用いた場合の、電圧変換器と放熱フィンの容積の総和(（オー・エス社製ＰＲ１６１６を用いて、７１６５（ｍｍ３）)と比較して、１／５程度となる。
【００３０】
本実施の形態では、第１電圧変換器１３３ａとして１２Ｖ電源を８Ｖ電源に変換する電圧変換器を、第２電圧変換器１３３ｂとして８Ｖ電源を５Ｖ電源に変換する電圧変換器を用いて電圧変換装置１３３を構成し、１２Ｖ電源を５Ｖ電源に２段階で変換する際の途中の電圧（中間電圧）が８Ｖの場合について説明した。上記した算出方法で、第１電圧変換器１３３ａと第２電圧変換器１３３ｂの温度の最高値を算出した結果、中間電圧を８Ｖ未満の値に設定すると、第１電圧変換器１３３ａの電力損失が大きくなって第１電圧変換器１３３ａの温度の最高値が高くなる。また、中間電圧を９Ｖを超える値に設定すると、電圧変換時の第２電圧変換器１３３ｂの電力損失が大きくなり第２電圧変換器１３３ｂの温度の最高値が高くなる。したがって、中間電圧が８Ｖから９Ｖの間の値であれば、第１電圧変換器１３３ａ及び第２電圧変換器１３３ｂの最大電力損失ＰＤ（ｍＷ）が所定値以下となり、温度の最高値が、放熱フィンを必要とする１２０度を超えることがない。特に、中間電圧を９Ｖに設定した場合には、第１電圧変換器１３３ａと第２電圧変換器１３３ｂの最大電力損失が略等しくなり、両者の温度の最高値を最も低く抑えることができる。ただし、本実施の形態では、汎用性があり安価に入手可能な、１２Ｖ電源を８Ｖ電源に変換する３端子レギュレータを第１電圧変換器１３３ａとして用い、８Ｖ電源を５Ｖ電源に変換する３端子レギュレータを第２電圧変換器１３３ｂとして用いている。
【００３１】
本実施の形態のパチンコ機１によれば、電圧変換装置１３３に供給される１２Ｖ電源から８Ｖの中間電圧の電源までを第１電圧変換器１３３ａで変換し、中間電圧の電源から５Ｖ（設定電圧の電源）までを第２電圧変換器１３３ｂで変換し、電圧変換装置に入力される電源の電圧を、段階的に、設定電圧に変換することができる。
なお、上記したように、電圧変換器１３３ａ，１３３ｂの発熱量は、電圧変換器の最大電力損失ＰＤｂ（ｍＷ）と正の相関関係がある。また、最大電力損失ＰＤｂ（ｍＷ）は、各電圧変換器に入力される電源の電圧と、当該電圧変換器で変換された後の電圧との差が大きいほど大きい。したがって、例えば、１２Ｖの電源を５Ｖに変換する電圧変換器よりも、１２Ｖの電源を、５Ｖより高い、例えば８Ｖに変換する第１電圧変換器１３３ａの方が発熱量が小さい。もちろん、１２Ｖの電源を５Ｖに変換する電圧変換器よりも、１２Ｖより低い、例えば８Ｖの電源を５Ｖに変換する第２電圧変換器１３３ｂの方が発熱量が小さい。したがって、設定電圧に変換する動作を複数の電圧変換器で分担すれば、個々の電圧変換器の負担が軽減され、個々の電圧変換器の発熱量を小さくすることができ、放熱フィンを小型化ないし省略することができ、電圧変換装置１３３が配置される制御基板を、小型化することができる。
また、第１電圧変換器１３３ａと第２電圧変換器１３３ｂは、パチンコ機１が遊技場に配置されている状態で水平方向の配置位置が全く重なっていないので、それぞれに発生した熱が周囲の空気に発散し易い。
また、第１電圧変換器１３３ａおよび第２電圧変換器１３３ｂは３端子レギュレータで構成されているので、スイッチングレギュレータを用いる場合と比較して、電圧変換装置１３３を安価に構成することができ、スイッチングノイズによる影響を考慮する必要も生じない。
【００３２】
本発明は、実施の形態で説明した構成に限定されず、種々の変更、追加、削除が可能である。
本実施の形態では、電圧変換装置１３３が、第１電圧変換器１３３ａと第２電圧変換器１３３ｂを備え、入力された１２Ｖの電源を、２段階で５Ｖの電源に変換する場合について説明したが、３段階以上で５Ｖの電源に変換してもよい。例えば、電圧変換装置１３３を、直列に接続された、１２Ｖの電源を第１の中間電圧Ｖ１の電源に変換する第１の電圧変換器と、第１の中間電圧Ｖ１の電源を第２の中間電圧Ｖ２の電源に変換する第２の電圧変換器と、第２の中間電圧Ｖ２の電源を５Ｖの電源に変換する第３の電圧変換器により構成してもよい。この場合、例えば、以下のような遊技機が構成される。
「（態様）遊技機の動作を制御する制御回路と、入力電源の電圧を設定電圧に変換する電圧変換装置と、前記制御回路及び電圧変換装置が配置される制御基板を備える遊技機であって、
前記電圧変換装置は、直列に接続された複数の電圧変換器を備え、各電圧変換器の入力電圧および出力電圧は、各電圧変換器の電力損失が所定値以下になる電圧に設定されていることを特徴とする遊技機。」
本態様の遊技機では、前記した第１の中間電圧Ｖ１及び第２の中間電圧Ｖ２として、第１〜第３の電圧変換器の電力損失が所定値（例えば、電力損失に基づく発熱量による電力変換器の温度の最高値が、電力変換器に放熱フィンを設ける必要がある温度に達する可能性がある電力損失の値）以下となるように設定される。
また、第１電圧変換器１３３ａや第２電圧変換器１３３ｂを、さらに直列に接続された複数の電圧変換器により構成してもよい。
また、本実施の形態では、主制御基板１３０の電圧変換装置１３３について説明したが、払出制御基板１４０の電圧変換装置１４３、副制御基板１６０の電圧変換装置１６３、表示制御基板１５０の電圧変換装置１５３について、本実施の形態の電圧変換装置１３３と同様の構成を適用してもよい。
【００３３】
また、本実施の形態では、図３に示すように、第１電圧変換器１３３ａと第２電圧変換器１３３ｂは、パチンコ機１が遊技場に配置されている状態で水平方向の配置位置が全く重ならないように配置している。このように、各電圧変換器が配置された状態において、各電圧変換器の鉛直方向上方には、各電圧変換器で発生した熱を受けて影響を受ける部品（他の電圧変換器のみならず、制御基板に設けられている他の部品も含む。）が配置されていないのが好ましい。
ここで、例えば、図５に示すように、制御基板の実装効率向上の目的等により、各電圧変換器を水平方向の配置位置が一部あるいは全部が重なるように配置する必要がある場合には、電力損失が大きい方の電圧変換器（例えば、図５に示す第１電圧変換器１３３ａ）を、電力損失が小さい方の電圧変換器（例えば、図５に示す第２電圧変換器１３３ｂ）よりも鉛直方向の下方に配設するのが好ましい。この場合、上方に配設した電力損失が小さい方の電圧変換器が、下方に配設した電力損失が大きい方の電圧変換器の放熱を受けることによって、電力損失が小さい方の電圧変換器の素子内部の温度が上昇した時の最高値が、例えば、放熱フィンを設けることが必要となる１２０度を超えないように、各電圧変換器同士の鉛直方向の間隔や重なる量、各電圧変換器の電力損失量（入力電圧と出力電圧の差）を設定する。
【００３４】
また、本実施の形態では、図３に示すように、各電圧変換器の実装面（電圧変換器が制御基板に実装された時に、制御基板側に配置される面）が長方形に形成され、パチンコ機１が遊技場に配設された状態において各電圧変換器の実装面の長方形の長辺が水平方向に沿うように、各電圧変換器を制御基板に配置したが、鉛直方向に沿うように、各電圧変換器を制御基板に配設してもよい。
ここで、パチンコ機１が遊技場に配設されている状態において電圧変換器の鉛直方向上方となる、制御基板の領域には、熱の影響を受ける部品を配置しない場合、制御基板の、電圧変換器の鉛直方向上方の領域は非実装領域となる。
前述したように、各電圧変換器の実装面の長方形の長辺が鉛直方向に沿うように、各電圧変換器を制御基板に配置すると、水平方向に沿うように制御基板に配置した場合に比べて、制御基板の、各電圧変換器の鉛直方向上方の領域、すなわち、制御基板の非実装領域
の面積を小さくすることができる。これにより、制御基板の実装効率を高めることができる。
なお、制御基板の、各電圧変換器の鉛直方向上方の領域の面積を小さくする方法としては、パチンコ機１が遊技場に配設された状態において各電圧変換器が制御基板の上方に位置するように、各電圧変換器を制御基板に配置する方法を用いることもできる。
【００３５】
また、本実施の形態では、中間電圧が８Ｖの場合、すなわち、中間電圧が整数で表現される電圧値である場合について説明したが、８．５Ｖ等整数で表現されない電圧値であってもよい。
また、本実施の形態では、入力される１２Ｖの電圧を、電圧変換装置１３３で５Ｖの電圧に変換する場合について説明したが、入力される電圧および変換後の電圧は実施の形態に限定されるものではない。本発明は、例えば、電圧変換装置１３３に入力される電圧が２４Ｖ、３４Ｖの場合、および変換後の電圧が３．３Ｖ、２．５Ｖ、１．５Ｖの場合にも適用することができる。
【００３６】
また、本発明は、以下のように構成することもできる。
例えば、「（態様１）遊技機の動作を制御する制御回路と、入力電源の電圧を設定電圧に変換する電圧変換装置と、前記制御回路及び電圧変換装置が配置される制御基板を備える遊技機であって、
前記電圧変換装置は、入力電源の電圧を、前記入力電源の電圧と前記設定電圧の間の中間電圧に変換する第１電圧変換器と、前記中間電圧を前記設定電圧に変換する第２電圧変換器とを有し、前記中間電圧は、前記第１電圧変換器の電力損失および前記第２電圧変換器の電力損失が所定値以下になる電圧に設定されていることを特徴とする遊技機。」として構成することができる。
態様１の遊技機は、遊技機の動作を制御する制御回路と、入力電源の電圧を設定電圧に変換する電圧変換装置と、制御回路及び電圧変換装置が配置される制御基板を備えている。そして、電圧変換装置は、入力電源の電圧を中間電圧に変換する第１電圧変換器と、中間電圧を設定電圧に変換する第２電圧変換器を有するとともに、中間電圧は、第１電圧変換器及び第２電圧変換器の電力損失が所定値以下になる電圧に設定されている。
ここで、「所定値」としては、例えば、電圧変換器に放熱フィンが設けられていない状態で、電力損失によって電圧変換器の温度が上昇しても、電圧変換器内部の素子が損傷する恐れが少ない電力損失の設定値が用いられる。
態様１に記載の遊技機によれば、入力される電源の電圧を、第１電圧変換器と第２電圧変換器で分担して設定電圧に変換するため、各電圧変換器の電力損失を所定値以下に低減することができ、各電圧変換器の放熱フィンを著しく小型化あるいは省略することができる。これにより、電圧変換装置、したがって、電圧変換装置が配置される制御基板を小型化することができる。
【００３７】
また、「（態様２）態様１に記載の遊技機であって、
前記第１電圧変換器と前記第２電圧変換器は、前記制御基板が取り付けられた遊技機が遊技場に配置されている状態で、水平方向にずれた位置に配置されるように、前記制御基板に配置されていることを特徴とする、遊技機。」として構成することができる。
態様２の遊技機では、第１及び第２電圧変換装置は、制御基板が遊技場に配置されている状態で水平方向にずれた位置に配置されるように、制御基板に配置される。
「水平方向にずれた位置に配置される」態様としては、第１電圧変換器と第２電圧変換器が水平方向に全く重ならないように配置される態様が好ましい。しかしながら、「水平方向にずれた位置に配置される」態様としては、水平方向に一部が重なるように配置される態様をも含む。
態様２に記載の遊技機によれば、第１電圧変換器と第２電圧変換器が鉛直方向の上下に完全に重なっていないので、各電圧変換器で発生した熱が周囲に発散し易く、各電圧変換器の温度上昇を抑制することができる。
【００３８】
また、「（態様３）態様１に記載の遊技機であって、
前記第１電圧変換器と前記第２電圧変換器は、前記制御基板が取り付けられた遊技機が遊技場に配置されている状態で、水平方向の配置位置の少なくとも一部が重なり、かつ、電力損失が多い方の電圧変換器が、電力損失が少ない方の電圧変換器より鉛直方向の下方に配置されるように、前記制御基板に配置されていることを特徴とする、遊技機。」として構成することができる。
態様３の遊技機では、第１電圧変換器と第２電圧変換器は、制御基板が取り付けられた遊技機が遊技場に配置されている状態で、水平方向の配置位置の少なくとも一部が重なり、且つ、電力損失が多い方の電圧変換器が、電力損失が少ない方の電圧変換器より鉛直方向の下方に配置されるように、制御基板に配置されている。
「水平方向の配置位置の少なくとも一部が重なる」態様としては、第１電圧変換器と第２電圧変換器の水平方向の配置位置が一部重なる態様、水平方向の配置位置が完全に重なる態様を含む。
態様３に記載の遊技機によれば、電力損失の大きい方、したがって発熱量の大きい方の電圧変換器を、鉛直方向の下方に、少なくとも一部が重なるように配設している。これによれば、発熱量が大きい方の電圧変換器の放熱を受けて、発熱量が小さい方の電圧変換器の温度が上昇しても、発熱量が小さい方の電圧変換器の放熱フィンが大型化する、あるいは放熱フィンが必要となると言った影響を受ける恐れが少ない。
さらに、第１及び第２電圧変換器が鉛直方向に少なくとも一部が重なるように配置されているため、第１及び第２電圧変換器の間を接続する配線パターンの長さを短くすることができるとともに、制御基板の実装効率を高めることができる。
【００３９】
「（態様４）態様１〜３のいずれかに記載の遊技機であって、
前記第１及び第２の電圧変換器は、アナログレギュレータであることを特徴とする、遊技機。」として構成することができる。
態様４の遊技機では、愛１及び第２電圧変換器としてアナログレギュレータを用いている。
態様４の遊技機によれば、電圧変換器として、アナログレギュレータを用いているため、例えば、スイッチングレギュレータを用いるよりも、電圧変換装置を安価に構成することができる。また、スイッチングノイズによる影響を考慮する必要もない。
【００４０】
「（態様５）態様１〜４のいずれかに記載の遊技機であって、
前記入力電源の電圧は１２Ｖ、前記中間電圧は８Ｖ〜９Ｖの範囲内の値、前記設定電圧は５Ｖに設定されていることを特徴とする、
遊技機。」として構成することができる。
態様５の遊技機では、入力電源の電圧として１２Ｖ、中間電圧として８Ｖ〜９Ｖの範囲内の値、設定電圧として５Ｖが設定されている。
態様５の遊技機によれば、１２Ｖ電源を５Ｖ電源に変換する第１及び第２電圧変換器の電力損失、したがって、発熱量を設定値以下に低減することができるため、電圧変換器の放熱フィンを著しく小型化ないし省略することができる。
【図面の簡単な説明】
【００４１】
【図１】パチンコ機１が遊技場に配置されている状態で、パチンコ機１を裏側から見た図である。
【図２】１２Ｖの電源が、電源基板１１０から各制御基板へ供給される配線のブロック図を示す。
【図３】パチンコ機１が遊技場に配置されている状態で、パチンコ機１の裏側から見た主制御基板１３０の電源供給系統の配線パターンを示す図である。
【図４】主制御基板１３０の電圧変換装置１３３の回路図を示す。
【図５】第１電圧変換器１３３ａおよび第２電圧変換器１３３ｂを、水平方向に一部が重なるように配置した電圧変換装置１３３の外観図を示す。
【図６】従来のように、電圧変換装置を１つ電圧変換器で構成した場合の、電圧変換装置の回路図を示す。
【符号の説明】
【００４２】
１  パチンコ機
１００  分電基板
１１０  電源基板
１２０  インターフェース基板
１３０  主制御基板
１３３  電圧変換装置
１３３ａ  第１電圧変換器
１３３ｂ  第２電圧変換器
１３４  制御回路部
１４０  払出制御基板
１５０  表示制御基板
１６０  副制御基板
【図１】
2006075474.tif 000003
【図２】
2006075474.tif 000004
【図３】
2006075474.tif 000005
【図４】
2006075474.tif 000006
【図５】
2006075474.tif 000007
【図６】
2006075474.tif 000008